(57)【特許請求の範囲】
【請求項１】
圃場に作る所定の深さの植付穴に移植対象物（１０２ｂ）を落下供給して所定の植付深さとなるよう移植するとき、可撓性のあるシ−ト（１０３）を装着した移植対象物（１０２ｂ）を植付穴に落下供給し、前記シ−ト（１０３）の少なくとも一部を圃場面より上位に位置させて移植対象物（１０２ｂ）を移植する移植方法。
【請求項２】
移植対象物１０２ｂを可撓性のあるシ−ト１０３で覆い、移植対象物１０２ｂを覆ったシ−ト１０３の残余部分１０３ａが移植対象物１０２ｂを覆った部分１０３ｂと区別されるように前記残余部分１０３ａと移植対象物１０２ｂを覆った部分１０３ｂとの境界位置１０３ｃでシ−ト１０３を捻じって移植対象物１０２ｂに装着し、圃場の植付穴に移植対象物１０２ｂを落下供給して移植する移植方法。
【発明の詳細な説明】
【０００１】
【発明の属する技術分野】
この発明は、種子や球根等の移植対象物を圃場に移植する移植方法の技術分野に属する。
【０００２】
【従来の技術】
特開２００１−１６９６１４号に示されるように、移植機の植付装置（植付嘴）の下部を土壌内に突入させた状態で前後に開くことにより、圃場に植付穴を形成すると共に植付装置内に収容していた移植対象物である芋を植付穴へ落下供給して移植する移植方法が知られている。尚、この移植対象物である芋は、矢形状の可撓性のない補助具を差し込んで装着した状態で前記植付装置で圃場に移植するようになっている。
【０００３】
【発明が解決しようとする課題】
従来の移植方法によると、移植対象物を植付穴へ落下供給して移植するようになっているので、移植対象物が落下供給されるとき植付穴で跳ね返って、移植対象物が植付穴の適正な位置へ供給されないおそれがあり、その結果、移植対象物の移植深さ等が安定せず、作物を良好に栽培できなくなるおそれがある。
【０００４】
また、従来の移植方法によると、移植対象物に可撓性のない補助具を差し込んだ状態で移植するようになっているので、移植作業において、補助具が植付装置に干渉する等して邪魔になって移植作業を阻害し、移植対象物が植付穴の適正な位置へ供給されないおそれがあり、その結果、移植深さ等が安定せず、作物を良好に栽培できなくなるおそれがある。
【０００５】
【課題を解決するための手段】
この発明は、上記課題を解決すべく、次の技術的手段を講じた。すなわち、請求項１に記載の発明は、圃場に作る所定の深さの植付穴に移植対象物１０２ｂを落下供給して所定の植付深さとなるよう移植するとき、可撓性のあるシ−ト１０３を装着した移植対象物１０２ｂを植付穴に落下供給し、前記シ−ト１０３の少なくとも一部を圃場面より上位に位置させて移植対象物１０２ｂを移植する移植方法とした。
【０００６】
従って、請求項１に記載の移植方法によると、移植対象物１０２ｂが落下供給されるとき、装着した可撓性のあるシ−ト１０３がなびいて空気抵抗を受けることにより、落下速度が抑えられた状態で移植対象物１０２ｂが圃場の植付穴に落下供給される。また、移植対象物１０２ｂを落下供給するときにシ−ト１０３が上方に残りながら落下するので、移植対象物１０２ｂの上下方向の向きを適正に安定させて植付穴へ落下供給させることができる。更に、シ−ト１０３は植付穴に移植対象物１０２ｂを落下供給したときに少なくとも一部が圃場面より上位に位置するので、植付穴に移植対象物１０２ｂを移植した状態でシ−ト１０３の一部を視認することができ、圃場に移植対象物１０２ｂが移植されていることを確認することができると共に、その圃場面から突出するシ−ト１０３の長さを視認することにより、移植対象物１０２ｂが適正な植付深さで移植されていることを確認することができる。しかも、シ−ト１０３は、可撓性を有しているので、移植作業において他の物体等に干渉しても撓み、移植対象物１０２ｂの圃場の植付位置を不適正にするようなことを抑える。
【０００７】
また、請求項２に記載の発明は、移植対象物１０２ｂを可撓性のあるシ−ト１０３で覆い、移植対象物１０２ｂを覆ったシ−ト１０３の残余部分１０３ａが移植対象物１０２ｂを覆った部分１０３ｂと区別されるように前記残余部分１０３ａと移植対象物１０２ｂを覆った部分１０３ｂとの境界位置１０３ｃでシ−ト１０３を捻じって移植対象物１０２ｂに装着し、圃場の植付穴に移植対象物１０２ｂを落下供給して移植する移植方法とした。
【０００８】
従って、請求項２に記載の移植方法によると、移植対象物１０２ｂが落下供給されるとき、シ−ト１０３の前記残余部分１０３ａがなびいて空気抵抗を受けることにより、落下速度が抑えられた状態で移植対象物１０２ｂが圃場の植付穴に落下供給される。また、シ−ト１０３により移植対象物１０２ｂを覆っているので、移植作業において移植対象物１０２ｂを防護でき、移植対象物１０２ｂに傷がつくようなことを抑えられる。更に、前記残余部分１０３ａと移植対象物１０２ｂを覆った部分１０３ｂとの境界位置１０３ｃでシ−ト１０３を捻じるとき、移植対象物１０２ｂの上方に残余部分１０３ａを位置させることにより、移植対象物１０２ｂを落下供給するときに残余部分１０３ａが上方に残りながら落下するので、移植対象物１０２ｂの上下方向の向きを適正に安定させて植付穴へ落下供給させることができる。しかも、残余部分１０３ａは、可撓性を有しているので、移植作業において他の物体等に干渉しても撓み、移植対象物１０２ｂの圃場の植付位置を不適正にするようなことを抑える。
【０００９】
【発明の効果】
よって、請求項１に記載の移植方法によると、落下速度が抑えられた状態で移植対象物１０２ｂが圃場の植付穴に落下供給されるので、移植対象物１０２ｂが落下供給されるとき植付穴で跳ね返るようなことを抑え、移植対象物１０２ｂが植付穴の適正な位置へ供給され、移植対象物１０２ｂの植付深さ等が安定し、圃場で植物あるいは作物を良好に栽培することができる。また、シ−ト１０３が上方に残りながら落下することにより、移植対象物１０２ｂの上下方向の向きを適正に安定させて移植対象物１０２ｂの植付姿勢を適正に安定させることができるので、圃場で植物あるいは作物を良好に栽培することができる。更に、植付穴に移植対象物１０２ｂを移植した状態でシ−ト１０３の一部を視認することにより、圃場に移植対象物１０２ｂが移植されていることを確認することができると共に、移植対象物１０２ｂが適正な植付深さで移植されていることを確認することができるので、移植作業後に移植作業における欠株や移植の不適正を判断することができ、移植対象物１０２ｂの補植や移植状態の修正を行うことができ、植物あるいは作物を良好に栽培することができると共に、栽培後の圃場での収穫時に所望の収量を得ることができる。しかも、シ−ト１０３が移植作業において他の物体等に干渉しても撓んで、移植対象物１０２ｂの圃場の植付位置を不適正にするようなことを抑えるので、移植対象物１０２ｂの移植深さ等が安定し、圃場で作物を良好に栽培することができる。
【００１０】
また、請求項２に記載の移植方法によると、落下速度が抑えられた状態で移植対象物１０２ｂが圃場の植付穴に落下供給されるので、移植対象物１０２ｂが落下供給されるとき植付穴で跳ね返るようなことを抑え、移植対象物１０２ｂが植付穴の適正な位置へ供給され、移植対象物１０２ｂの植付深さ等が安定し、圃場で植物あるいは作物を良好に栽培することができる。また、シ−ト１０３により移植作業において移植対象物１０２ｂを防護できるので、移植後、圃場で植物あるいは作物を良好に栽培することができる。更に、シ−ト１０３の残余部分１０３ａが上方に残りながら落下することにより、移植対象物１０２ｂの上下方向の向きを適正に安定させて移植対象物１０２ｂの植付姿勢を適正に安定させることができるので、圃場で植物あるいは作物を良好に栽培することができる。しかも、移植対象物１０２ｂをシ−ト１０３で覆った後、シ−ト１０３を残余部分１０３ａと移植対象物１０２ｂを覆った部分１０３ｂとの境界位置１０３ｃで捻じるだけで移植対象物１０２ｂに装着するので、このシ−ト１０３の装着作業が容易になり、移植作業能率の向上を図ることができる。その上、シ−ト１０３の残余部分１０３ａが移植作業において他の物体等に干渉しても撓んで、移植対象物１０２ｂの圃場の植付位置を不適正にするようなことを抑えるので、移植対象物１０２ｂの移植深さ等が安定し、圃場で作物を良好に栽培することができる。
【００１１】
【発明の実施の形態】
この発明の実施の一形態を図面に基づいて説明する。図１は、移植対象物となるニンニクの球根１０２を示すものである。尚、ニンニクの球根１０２の移植にあたり、該球根１０２を球根片１０２ｂごとに分割（行程Ａ、例えば品種「福地ホワイト」で６個の球根片に分割）し、この球根片１０２ｂを圃場に移植する。該球根片１０２ｂは、幅ｘ３０ｍｍ、長さｙ４０〜５０ｍｍ程度の大きさである。この球根片１０２ｂを可撓性のあるシ−トとなるフィルム１０３の略中央に下端部が接するように置き、該球根片１０２ｂをフィルム１０３で上側へ向けて覆い、フィルム１０３の外周部分すなわち球根片１０２ｂを覆ったフィルムの残余部分１０３ａと球根１０２を覆った部分１０３ｂとの境界位置１０３ｃでフィルム１０３を水平方向に捻じって装着する。簡単にいうと、球根片１０２ｂの上端部１０２ａ近傍でフィルム１０３を捻じって絞り、該フィルム１０３が球根１０２から外れないようにするのである。尚、フィルム１０３は、広げた状態で縦１１０ｍｍ、横３００ｍｍ程度の長方形に構成されている。このフィルム１０３の材質はＰＶＡ（ポリビニルアルコ−ル）であり、該フィルム１０３は、水溶性を有し、土中の水分により溶けるようになっている。この球根１０２にフィルム１０３を装着する作業が移植のための準備作業となる。
【００１２】
フィルム１０３を装着した無数の球根片１０２ｂをコンテナ等に収容し、該コンテナ等を後述する移植機１の載置台４０に載置して移植機１により圃場に球根を移植していくようになっている。ところで、ニンニクの栽培方法について説明すると、圃場に１５ｃｍ以上の高畝を作り、その畝にニンニクの球根片１０２ｂを９月中旬から１０月上旬頃に移植する。尚、球根片１０２ｂは、移植前に、例えばベンレ−トＴ水和剤等により消毒しておく。また、移植時に、土壌の保温及び雑草防止のために圃場の畝にマルチフィルムを敷設しても良い。移植後は、除草、防除、追肥、また積雪地域では融雪等の栽培管理を必要に応じて行いながら栽培していく。そして、翌年の６月下旬から７月上旬頃に栽培された球根を掘り起こして収穫し、自然乾燥又は暖房機を使用して加温したりやファンを使用して通風したりする強制乾燥を行って乾燥させ、貯蔵する。
【００１３】
図２は、移植機１を示すものであり、この移植機１は、主として前部にエンジン２と主伝動ケ−ス３と走行車輪としての左右一対の前輪４，４及び後輪５，５とを備えると共に、後部に植付装置６及び供給装置７で構成される移植部８を備えている。尚、前記移植部８の後側には、操縦ハンドル９を設けている。この移植機１は、機体が圃場内の畝をまたぐように前記前輪４，４及び後輪５，５が畝間を走行し、畝の上面の左右中央に前記植付装置６により移植対象物すなわち種子１００を移植していくようになっている。
【００１４】
前記主伝動ケ−ス３の前部にエンジン載置台１０を固着し、このエンジン載置台１０に前記エンジン２を載置して取り付けた構成となっている。左右方向に設けた前記エンジン２の出力軸２ａが前記主伝動ケ−ス３内に突入して、エンジン２の動力が主伝動ケ−ス３内に入力されるようになっている。主伝動ケ−ス３の左右端には該主伝動ケ−ス３に対して回動可能な走行チェ−ンケ−ス１１，１１を左右それぞれ設け、主伝動ケ−ス３内の動力を走行チェ−ンケ−ス１１，１１内に伝動する構成となっている。前記走行チェ−ンケ−ス１１，１１の回動先端部の左右外側には出力軸１１ａ，１１ａを設け、この出力軸１１ａ，１１ａに走行車輪である左右一対の後輪５，５をそれぞれ取り付け、この左右一対の後輪５，５の駆動により機体が走行するようになっている。一方、エンジン載置台１０の下部には左右方向に延びる前輪支持フレ−ム１２を前後方向のロ−リング軸１２ａ回りに回動可能に設け、この前輪支持フレ−ム１２の左右両端部に下方に延びる前輪取付部１３，１３を設け、前記前輪取付部１３，１３の下端部に前輪４，４を取り付け、左右一対の前記後輪５，５のそれぞれの前方に左右一対の前輪４，４が設けられた構成となっている。尚、前記前輪４，４は、遊転輪である。
【００１５】
前記主伝動ケ−ス３の後部には、右寄りの位置に延びる主フレ−ム１４を設けている。該主フレ−ム１４の後端部には操縦ハンドル８を設け、この操縦ハンドル８が主フレ−ム１４を介して前記主伝動ケ−ス３に支持された構成となっている。
【００１６】
また、主伝動ケ−ス３の後部で左右方向の中央には、油圧昇降シリンダ１６を設けている。この油圧昇降シリンダ１６は、主伝動ケース３に固着された油圧切替バルブ部１７に固着して設けられ、主伝動ケ−ス３に固着された油圧ポンプ１８からの油圧を切り替える前記油圧切替バルブ部１７に備えられた昇降操作バルブを操作することにより作動するようになっている。前記油圧昇降シリンダ１６のシリンダロッド端には左右に延びる横杆１９を設け、この横杆１９の左右端部にそれぞれ後輪昇降ロッド２１，２２を枢着し該ロッド２１，２２の他端をそれぞれの走行チェ−ンケ−ス１１，１１に固着された上側ア−ム１１ｂ，１１ｂに取り付けて、前記横杆１９と走行チェ−ンケ−ス１１，１１とが連結された構成となっている。従って、前記油圧昇降シリンダ１６の伸縮により前記横杆１９、前記後輪昇降ロッド２１，２２を介して走行チェ−ンケ−ス１１，１１の入力軸１１ｃ，１１ｃ回りに走行チェ−ンケ−ス１１，１１を回動し、該走行チェ−ンケ−ス１１，１１の回動により後輪５，５が上下して機体が昇降する構成となっている。
【００１７】
また、左側の前記後輪昇降ロッド２２が伸縮するように該ロッド２２の中途部に油圧ポンプ１８からの油圧により作動する水平用油圧シリンダ２５を設けており、該水平用油圧シリンダ２５の伸縮により右側の後輪５の上下位置に対して左側の後輪５を上下させて、畝の谷部の凹凸に関係なく機体を左右水平に維持できるようになっている。尚、主伝動ケ−ス３の右側には振り子式の左右傾斜センサ２６が設けられて、この左右傾斜センサ２６の検出により油圧切替バルブ部１７に備えられた水平操作バルブを介して前記水平用油圧シリンダ２５を作動させ機体を左右水平に維持する構成となっている。
【００１８】
前記植付装置６は、一株分の種子を圃場に移植するべく主伝動ケ−ス３内からの動力が前記主伝動ケ−ス３の後方に設けた移植伝動ケ−ス３０を介して伝達され作動するようになっている。尚、前記主伝動ケース３から移植伝動軸３１を介して前記移植伝動ケース３０へ伝動する構成となっている。前記植付装置６は、植付カップ３２を備える植付具３３と該植付具３３を昇降させるべく作動する植付具作動機構３４とで構成される。
【００１９】
また、前記供給装置７は、前記植付装置６の上側に設けられ、一株分の種子を前記植付装置６に順次供給する供給回転台３５を備えて構成されている。前記供給回転台３５は、前記移植伝動ケ−ス３０からの伝動により後述する前側第一リンク４１ａに一端を取り付けた前後に往復作動するクランクロッド３６、一方向クラッチ機構３７を介して上下方向の回転軸３５ａ回りに回転駆動するようになっている。また、供給回転台３５は、前記回転軸３５ａを中心とする円周に沿って所定間隔毎に複数の供給カップ３８…が設けられた構成となっている。該供給カップ３８…は該カップ３８…の底面３８ａ…が開閉可能に設けられると共に、供給カップ３８…の下方には供給回転台３５の回転により供給カップ３８…が所定の位置に来たときのみ該カップ３８…の底面が開くように設けられた供給カップ開閉ガイド３９を機体側に固着して設けている。従って、供給回転台３５の回転により供給カップ３８…が所定の位置Ａに来ると、供給カップ３８…の底面３８ａ…が開いて供給カップ３８…内の球根片１０２ｂを下方の植付カップ３２に落下供給し、更に供給回転台３５が回転し供給カップ３８…が前記所定の位置Ａから外れると、供給カップ開閉ガイド３９により供給カップ３８…の底面３８ａ…が閉じるようになっている。
【００２０】
供給回転台３５の前側には、フィルム１０３を装着した無数の球根片１０２ｂを収容するコンテナ等を載置する載置台４０を設けている。そして、供給回転台３５の左側から作業者が前記載置台４０上の球根片１０２ｂを一個づつ前記供給カップ３８…内に供給するようになっている。
【００２１】
前記植付具作動機構３４は、前側リンク機構４１及び後側リンク機構４２を備えて構成される。前記前側リンク機構４１は、基端側が移植伝動ケ−ス３０に取り付けられた前側第一リンク４１ａの他端側に前側第二リンク４１ｂが連結して構成され、前記前側第二リンク４１ｂの後端部に植付具３３の基部の前側が連結されている。同様に、前記後側リンク機構４２は、基端側が移植伝動ケ−ス３０に取り付けられた後側第一リンク４２ａの他端側に後側第二リンク４２ｂが連結して構成され、前記後側第二リンク４２ｂの後端部に植付具３３の基部４３の後側が連結されている。そして、前記前側第二リンク４１ｂ、前記後側第二リンク４２ｂの中途部にそれぞれ前側駆動ア−ム４１ｃ、後側駆動ア−ム４２ｃを設けており、該前側駆動ア−ム４１ｃ、該後側駆動ア−ム４２ｃは移植伝動ケ−ス３０からの動力により回転駆動するようになっている。従って、前記前側駆動ア−ム４１ｃ及び前記後側駆動ア−ム４２ｃの駆動により前側リンク機構４１と後側リンク機構４２とで構成される植付具作動機構３４が作動し、該作動機構３４の後端部に取り付けられた植付カップ３２を上下方向に長いル−プ軌跡Ｔを描くように昇降させるようになっている。前記植付具作動機構３４の作動により、植付具３３を供給回転台３５の直下の受け継ぎ位置Ｂから圃場の植付位置Ｃの間で昇降させるようになっている。
【００２２】
前記植付具３３は、基部とその下側に設けた植付カップ３２とで構成される。尚、前記基部には、苗供給装置７から落下供給される球根片１０２ｂを植付カップ３２内へ案内する案内筒３３ａを設けている。前記植付カップ３２は、下側へいくほど細くなっており、前後方向に２分割して下部を開閉する構成となっており、供給回転台３５の供給カップ３８…から受け継いだ一株分の球根片１０２ｂを収容した状態で下降し、植付位置Ｃで下部を前後に開いて圃場に植付穴を形成すると共に該植付穴に球根片１０２ｂを落下供給して植え付けるようになっている。
【００２３】
次に、植付カップ３２の開閉の作動構成について説明する。植付カップ３２は前部３２ａと後部３２ｂとを別体にして設けられ、前記前部３２ａを後側第二リンク４２ｂの後端部に設けた回動軸４４回りに回動する左右の前部支持プレ−ト４５，４５、前記後部３２ｂを前側第二リンク４１ｂの後端部に設けた回動軸４６回りに回動する左右の後部支持プレ−ト４７，４７に固着している。前記前部支持プレ−ト４５，４５と前記後部支持プレ−ト４７，４７との間には、双方のプレ−ト４５，４５，４７，４７を連結する連結軸４８，４８が左右それぞれ側面視で同位置に設けられている。左側の前部支持プレ−ト４５，４５には開閉用ロッド４９の一端を取り付け、該開閉用ロッド４９の他端を後側第一リンク４２ａと後側第二リンク４２ｂとの連結軸５０回りに回動する開閉用ア−ム５１の先端部に取り付けた構成となっている。また、後側駆動ア−ム４２ｃの先端部には開閉用カム５１を設け、該開閉用カム５３が前記開閉用ア−ム５１の中途部に設けたロ−ラ５２に下側から当接して植付具３３の昇降作動軌跡Ｔの下死点で前記開閉用ア−ム５１の下側への回動を規制し、前記開閉用ロッド４９により植付カップ３２の前部３２ａを前方に回動させるようになっている。尚、植付カップ３２の後部３２ｂは前部３２ａの前方への回動に伴って前部支持プレ−ト４５，４５と後部支持プレ−ト４７，４７とを連結する連結軸４８，４８を介して前側第二リンク４１ｂの後端部に設けた回動軸回りに後方へ回動する構成となっており、植付カップ３２の前部３２ａと後部３２ｂとが互いに反対方向へ回動して植付カップ３２の下部を開くようになっている。尚、前部支持プレ−ト４５，４５と後部支持プレ−ト４７，４７との間には閉用スプリング５４を設け、この閉用スプリング５４により植付カップ３２の下部が閉じる方向に植付カップ３２を付勢している。
【００２４】
植付具３３の後側には、圃場に移植した球根片１０２ｂの周辺の土壌を鎮圧する鎮圧具となる鎮圧輪６０，６０を左右それぞれ設けている。この鎮圧輪６０，６０は、主フレ−ム１４に取り付けた左右方向の回動軸６１回りに回動可能な平面視でＵ字型の鎮圧輪支持フレ−ム６２から鎮圧輪回転軸支持板９３，９３を介して固着した鎮圧輪回転軸９４，９４回りに回転自在に取り付けられ、前記鎮圧輪支持フレ−ム６２の端部に設けた鎮圧ウエイト６２ａ，６２ａの荷重により常に畝の上面に接地して移植した球根片１０２ｂの周辺の土壌を鎮圧するようになっている。鎮圧輪支持フレ−ム６２に前記鎮圧ウエイト６２ａ，６２ａを複数個上下に重ねて取り付けることができ、この鎮圧ウエイト６２ａ，６２ａの個数を調節して鎮圧輪の土壌の鎮圧力を調節するようになっている。尚、この鎮圧輪６０，６０は、球根片１０２ｂの周辺の土壌を鎮圧すると共に、その鎮圧作用で球根片１０２ｂ側に土壌を押し付けることにより球根片１０２ｂに覆土する。鎮圧輪６０，６０は、圃場内の畝の上面に接地した状態で機体が進行することにより回転するようになっている。尚、この鎮圧輪６０，６０は左右一対に設けた構成としたが、これに代えて移植された移植対象物である球根片１０２ｂの上方を通過し接地面が左右水平の単一の鎮圧輪を設けた構成としてもよい。
【００２５】
また、植付具３３の前側には、圃場面感知プレ−ト６３を設けている。該圃場面感知プレ−ト６３は左右方向の軸６４回りに回動可能に設けられ、接地することによる該プレ−ト６３の回動に伴ってロッド６５等を介して油圧切替バルブ部１７内の昇降操作バルブを操作して植付装置６により球根片１０２ｂが所定の植付深さで移植されるように後輪５，５を昇降するようになっている。
【００２６】
尚、前記圃場面感知プレ−ト６３の回動軸６４を主フレ−ム１４に設けた左右方向の軸６６回りに回動可能な植付深さ調節ア−ム６７の回動先端部に設け、前記植付深さ調節ア−ム６７を上方に延びる植付深さ調節レバ−６８の操作により回動させ植付装置６の植付深さを調節するようになっている。前記植付深さ調節レバ−６８は、供給回転台３５の前側に設けられている。また、主伝動ケ−ス３の後部から後上方に延びる主変速レバ−６９を前記供給回転台３５の前側に設け、該レバ−６９の操作により前記主伝動ケ−ス３内のギヤの噛み合いを変更して走行車輪である後輪５，５を変速して機体の走行速度を調節しできるようになっている。具体的には、前記主変速レバー６９の操作により、路上等で高速で走行させる「移動速」と通常植付作業時に使用する「植付速」と機体を後進させる「後進速」と後輪を駆動しない「中立」とに切り替えるようになっている。従って、前記植付深さ調節レバ−６８及び前記主変速レバ−６９を前記供給回転台３５の直ぐ前側に設けているので、前記植付深さ調節レバ−６８及び前記主変速レバ−６９を供給回転台３５の側方の作業者が前記供給回転台３５の供給カップ３８…への球根片１０２ｂの供給作業を行いながら操作できるようになっている。
【００２７】
また、主伝動ケース３の右側部には第一株間調節レバー７０を設け、該レバー７０の操作により主伝動ケ−ス３内のギヤの噛み合いを変更して機体の走行速度に対する移植部８の駆動を変速して球根片１０２ｂの植付株間を変更できるようになっている。これとは別に、移植伝動ケ−ス３０の右側部には第二株間調節レバ−７１を設け、該レバ−７１の操作により植付伝動ケ−ス３０内のギヤの噛み合いを変更して機体の走行速度に対する移植部８の駆動周期を変更して球根片１０２ｂの植付株間を変更できるようになっている。
【００２８】
前記操縦ハンドル９の前側で供給装置７の後側には、操作パネル７２を設けている。この操作パネル７２には、後輪５，５及び移植部８の駆動を共に入切可能な主クラッチレバ−７３と、油圧昇降シリンダ１６による機体の昇降操作及び移植部８のみの駆動の入切が行える植付・昇降レバ−７４とを設けている。
【００２９】
また、操縦ハンドル９の左右それぞれの把持部９ａ，９ａの下方にはサイドクラッチレバ−７５，７５を設け、このサイドクラッチレバ−７５，７５の操作により左右一対の後輪５，５の左右一方の駆動を断つようになっている。そして、オペレ−タが操縦ハンドル９を押し下げ前輪４，４を宙に浮かせた状態で左右一方のサイドクラッチレバ−７５を操作して左右一方の後輪５の駆動を断ち、該後輪５を中心に機体を旋回させるようになっている。
【００３０】
また、主フレ−ム１４にはスタンド８０を設けている。このスタンド８０は、前輪４，４を接地した状態で後輪５，５を浮かせられる構成となっており、主に後輪５，５の組替え時やトレッド調節をすべく後輪５，５の左右位置を変更するときに使用する。前記スタンド８０は、Ｌ字型の棒材で構成され、前記主フレ−ム１４に対して上下位置変更可能で且つ非使用時に前後方向に向く接地部８０ａを使用時に左右方向に向けて固定できるように上下方向の軸８０ｂ回りに回動可能なっている。従って、左右の前輪４，４と凹凸が施された左右方向に延びる前記接地部８０ａにより機体を安定して支持できると共に、スタンド８０非使用時には前記接地部８０ａを前後方向に向けて主フレ−ム１４に沿わせるので鎮圧輪支持フレ−ム６２の回動の邪魔にならない。尚、該スタンド８０の使用状態で植付具３３を作動させても、該植付具３３が土壌内に突入しないようになっている。
【００３１】
この移植機１で球根片１０２ｂの移植作業を行うにあたり、作業者が植付・昇降レバ−７４により機体を下降状態で且つ移植部８を駆動状態に操作すると共に、主クラッチレバ−７３により伝動状態に操作すると、機体が進行しながら植付装置６により圃場に球根片１０２ｂを移植していく。作業者は、載置台４０から供給装置７の供給カップ３８…へ適宜１個づつ球根片１０２ｂを供給する。従って、１か所の植付穴へ移植する一株分の球根片１０２ｂの数は、１個となる。尚、発芽等を考慮し良好に栽培するためには、ニンニク球根の植付深さａ（植付穴の深さ）を１０ｃｍ乃至１２ｃｍ（圃場面から移植された球根の上端部までの深さｂを６ｃｍ乃至７ｃｍ）になるよう設定する必要があるため、移植機１の植付深さ調節レバ−６８の操作により適宜植付深さを調節する。
【００３２】
そして、植付カップ３２により植付位置Ｃで下部を前後に開いて植付穴に球根片１０２ｂを落下供給するとき、フィルムの残余部分１０３ａがひらひらとなびいて空気抵抗を受けることにより、ゆっくりとした落下速度で球根片１０２ｂが圃場の植付穴に落下供給される。また、フィルムの残余部分１０３ａが球根片１０２ｂの上端部１０２ａの上側に位置するので、球根片１０２ｂを落下供給するときに前記残余部分１０３ａが空気抵抗を受けて球根片１０２ｂの上方に残りながら落下し、球根片１０２ｂの上端部１０２ａの発芽部分を上側に位置させた状態で球根片１０２ｂの上下方向の向きを適正に安定させて植付穴へ落下供給することができる。尚、供給装置７の供給カップ３８の底面３８ａが開いて供給カップ３８内の球根片１０２ｂを下方の植付カップ３２に落下供給するときも、フィルムの残余部分１０３ａがひらひらとなびいて空気抵抗を受けて球根１０２の上方に残りながら落下するので、球根片１０２ｂの上端部１０２ａの発芽部分を上側に位置させた状態で植付カップ３２内へ落下供給され、植付カップ３２内で球根片１０２ｂを適正な姿勢にでき、植付カップ３２による球根片１０２ｂの移植姿勢をより適正に安定させることができるのである。更に、フィルム１０３により球根片１０２ｂを覆っているので、移植作業においてフィルム１０３により球根片１０２ｂを防護でき、植付具３３や供給回転台３５等の他の物体に干渉しても球根片１０２ｂの表面に傷がつくようなことを抑えられる。しかも、前記残余部分１０３ａは、可撓性を有しているので、移植作業において植付具３３や供給回転台３５等の他の物体に干渉しても撓み、球根片１０２ｂの圃場の植付位置を不適正にするようなことを抑える。尚、フィルム１０３は、水溶性を有し土中の水分により溶けるようになっているので、球根片１０２ｂの移植後に消えてなくなり、移植後の栽培に悪影響を与えるようなことを防止できる。
【００３３】
また、長方形のフィルム１０３は長辺が３００ｍｍ程度であるので、該フィルム１０３の略中央と球根片の下端部とを合致させて装着したフィルム１０３の残余部分１０３ａの上端は、球根片１０２ｂの上端部１０２ａより１０ｃｍ程度上方へ突出する。従って、球根片１０２ｂの上端部１０２ａまでの深さを６ｃｍ乃至７ｃｍになるように圃場に球根片１０２ｂを移植すると、球根片１０２ｂに装着したフィルム１０３の残余部分１０３ａの少なくとも一部が圃場面より上位に位置するので、植付穴に球根片１０２ｂを移植した状態で前記残余部分１０３ａの一部を視認することができ、圃場に球根片１０２ｂが移植されていることを確認することができると共に、その圃場面から突出するフィルム１０３の残余部分１０３ａの長さを視認することにより、球根片１０２ｂが適正な植付深さで移植されていることを確認することができる。すなわち、球根片１０２ｂの上端部までの深さを６ｃｍ乃至７ｃｍになるように球根片１０２ｂを移植するので、圃場面から突出するフィルム１０３の残余部分１０３ａの長さが３ｃｍ乃至４ｃｍであれば、球根片１０２ｂが適正な植付深さで移植されていると判断する。尚、フィルム１０３をその長辺方向において所定間隔ごとに色分けする等してフィルム１０３に印を付けておくと、球根片１０２ｂの植付深さの判断を容易に行える。
【００３４】
よって、この移植方法において、ゆっくりとした落下速度で球根片１０２ｂが圃場の植付穴に落下供給されるので、球根片１０２ｂが落下供給されるとき植付穴の底面で跳ね返って植付穴の端や植付穴の外へ球根片１０２ｂが供給されるようなことを抑え、球根片１０２ｂが植付穴の中央の適正な位置へ供給され、後行程の鎮圧輪６０，６０の土壌の鎮圧により球根片１０２ｂの移植深さ、移植位置が安定し、圃場で作物を良好に栽培することができる。また、フィルム１０３の残余部分１０３ａが移植作業において植付具３３や供給回転台３５等の他の物体に干渉しても撓んで、球根片１０２ｂの圃場の植付位置を不適正にするようなことを抑えるので、球根片１０２ｂの移植深さ、移植位置が安定し、圃場で良好にニンニクの栽培をすることができる。更に、球根片１０２ｂに傷がつくようなことを抑えられるので、移植後、圃場で良好にニンニクの栽培をすることができる。しかも、球根片１０２ｂをフィルム１０３で覆った後、フィルム１０３を残余部分１０３ａと移植対象物１０３ｂを覆った部分との境界位置１０３ｃで捻じるだけで球根片１０２ｂに装着するので、このフィルム１０３の装着作業が容易になり、移植作業能率の向上を図ることができる。
【００３５】
また、球根片１０２ｂの上下方向の向きを適正に安定させて植付穴へ落下供給することができるので、球根片１０２ｂの移植姿勢を適正に安定させることができ、移植後、球根片１０２ｂの上端部１０２ａの発芽部分から上方へ向かって発芽するので発芽しやすく球根の発芽率の向上を図ることができると共に、球根片１０２ｂの下端の発根部１０２ｃから下方に向かって土壌内に良好に根を伸長させることができ、圃場で良好にニンニクを栽培することができる。尚、ニンニクは球根の上端部から発芽するが、図８に示すように、その発芽部分１０２ａから発生する茎葉１０４は平面視で一直線上に配置されるようにすなわち鉛直な一平面上に配置されるように放射状に伸長する。従って、圃場に隣接して移植された球根片１０２ｂの茎葉１０４が互いの方向に向かって伸長すると、互いの茎葉１０４が干渉し、充分な太陽光が得られずに成育を阻害するおそれがある。ところが、この発明の実施の形態の移植方法により、球根片１０２ｂの移植姿勢を適正に安定させることができるので、隣接して移植された球根片１０２ｂの互いの茎葉１０４が干渉するようなことを抑えることができ、良好な成育を得ることができる。尚、他に上述の茎葉１０４の干渉を防ぐ手段として、球根片１０２ｂの移植方向を考慮して隣接する球根片１０２ｂの茎葉１０４の伸長方向が互いの方向を向かないように移植したり千鳥状に球根片１０２ｂを移植したりして、限られた圃場で多数の球根片１０２ｂを移植できるようにし、栽培後の圃場での収穫時における収量の増加を図ることができる。
【００３６】
また、植付穴に球根片１０２ｂを移植した状態でフィルム１０３の残余部分１０３ａの一部を視認することにより、鎮圧輪６０，６０の土壌の鎮圧により球根片１０２ｂの上方を土壌で覆った状態であっても、圃場に球根片１０２ｂが移植されていることを確認することができると共に、球根片１０２ｂが適正な移植深さで移植されていることを確認することができるので、移植作業後に球根片１０２ｂの移植作業における欠株や移植の不適正を判断することができ、球根片１０２ｂの補植や移植深さ、場合によっては移植姿勢の修正を行うことができ、ニンニクを良好に栽培することができると共に、栽培後の圃場での収穫時に所望の収量を得ることができる。尚、フィルム１０３が土中の水分により溶けてなくなるので、発芽した後の芽の伸長や根の伸長をフィルム１０３により阻害しないようにできると共に、栽培後の作物の収穫作業においてフィルム１０３が邪魔になるようなことがない。
【００３７】
尚、前記フィルム１０３の材質をＰＶＡ（ポリビニルアルコ−ル）としたが、フィルムの材質としてＰＶＡ（ポリビニルアルコ−ル）に微量要素を加えたものやパルプ湿式不織布、コットンリンタ−（綿）１００％の不織布、レ−ヨン１００％の不織布を用いてもよい。すなわち、移植後に土中で消えてなくなる性質、例えば生分解性を有するものであればよいのである。尚、前記不織布は、バクテリヤ分解性を有する。
【００３８】
尚、この発明の実施の形態は移植機１により移植対象物を移植する移植方法について説明したが、人手により移植対象物を移植する移植方法であってもよい。尚、この発明の実施の形態は移植対象物として球根について説明したが、他に移植対象物として種子、えんどう豆等の豆類、落花生、芋類、苗等が考えられる。
【図面の簡単な説明】
【図１】ニンニクの球根及びフィルムを示す図
【図２】移植機を示す側面図
【図３】移植機を示す平面図
【図４】供給回転台を示す底面図
【図５】植付具作動機構を示す側面図
【図６】植付具作動機構を示す平面図
【図７】圃場への球根の移植状態を示す図
【図８】（ａ）球根の茎葉が伸長した状態を示す平面図、（ｂ）球根の茎葉が伸長した状態を示す側面図
【符号の説明】
１…移植機、３２…植付カップ、３３…植付具、１０２…球根、１０２ｂ…球根片、１０３…フィルム、１０３ａ…フィルムの残余部分、１０３ｂ…フィルムの移植対象物を覆った部分、１０３ｃ…境界位置
【図１】
0003807313.tif 000002
【図２】
0003807313.tif 000003
【図３】
0003807313.tif 000004
【図４】
0003807313.tif 000005
【図５】
0003807313.tif 000006
【図６】
0003807313.tif 000007
【図７】
0003807313.tif 000008
【図８】
0003807313.tif 000009